(57)【特許請求の範囲】
【請求項１】
枠体の内側空間に、緑化植物が生長できる状態で支持された植物支持パネルを取り付けた２枚以上の緑化パネル体を、建物の壁面に沿って外側に張り出した張出床部において建物の壁面側から予め定めた距離だけ離れた位置にて、前後に隙間をあけて前記壁面に平行に設け、前記２枚以上の緑化パネル体を前記壁面に平行に引き違い式にスライド可能とし、
前記２枚以上の緑化パネル体の一側端及び他側端にて上下方向に配置された支柱を断面多角形状の部材で形成し、この支柱の少なくとも一つの外側面に断面コ字状で開口縁部に内向きの鍔を備えた凹溝を長手方向に形成し、前記支柱の長手方向に直交する方向に棒状に伸びる補助用途具を、前記凹溝を利用して前記支柱の長手方向に沿って移動及び固定可能に取り付けた、
ことを特徴とする建物緑化構造体。
【請求項２】
枠体の内側空間に、緑化植物が生長できる状態で支持された植物支持パネルを取り付けた２枚以上の緑化パネル体を、建物の壁面に沿って外側に張り出した張出床部において建物の壁面側から予め定めた距離だけ離れた位置にて、上部に設置されたレール部材に係合させて前後に隙間をあけて前記壁面に平行に設け、前記２枚以上の緑化パネル体を前記壁面に平行に引き違い式にスライド可能とし、
前記２枚以上の緑化パネル体の一側端及び他側端にて上下方向に配置された支柱を断面多角形状の部材で形成し、この支柱の少なくとも一つの外側面に断面コ字状で開口縁部に内向きの鍔を備えた凹溝を長手方向に形成し、前記支柱の長手方向に直交する方向に棒状に伸びる補助用途具を、前記凹溝を利用して前記支柱の長手方向に沿って移動及び固定可能に取り付けた、
ことを特徴とする建物緑化構造体。
【請求項３】
枠体の内側空間に、緑化植物が生長できる状態で支持された植物支持パネルを取り付けた２枚以上の緑化パネル体を、建物の壁面に沿って外側に張り出した張出床部において建物の壁面側から予め定めた距離だけ離れた位置にて、上部に設置されたレール部材に係合させて前後に隙間をあけて前記壁面に平行に設け、前記隙間をあけて配置される各々の緑化パネル体の下部の対向する面に設けられた係合案内部材で前記２枚以上の緑化パネル体の下部をスライド可能に係合した状態で、前記２枚以上の緑化パネル体を前記壁面に平行に引き違い式にスライド可能としたことを特徴とする建物緑化構造体。
【請求項４】
前記２枚以上の緑化パネル体の一側端及び他側端にて上下方向に配置された支柱を断面多角形状の部材で形成し、この支柱の少なくとも一つの外側面に断面コ字状で開口縁部に内向きの鍔を備えた凹溝を長手方向に形成し、前記支柱の長手方向に直交する方向に棒状に伸びる補助用途具を、前記凹溝を利用して前記支柱の長手方向に沿って移動及び固定可能に取り付けることを特徴とする請求項３に記載の建物緑化構造体。
【請求項５】
前記２枚以上の緑化パネル体の下端面に１個又は複数個のキャスターを設け、このキャスターにより前記２枚以上の緑化パネル体を前記張出床部上に支持したことを特徴とする請求項１〜４のいずれか１項に記載の建物緑化構造体。
【請求項６】
枠体の内側空間に、緑化植物が生長できる状態で支持された植物支持パネルを取り付けた２枚以上の緑化パネル体を、建物の壁面に沿って外側に張り出した張出床部において建物の壁面側から予め定めた距離だけ離れた位置にて、上部に設置されたレール部材に係合させて前後に隙間をあけて前記壁面に平行に設け、前記２枚以上の緑化パネル体の下端面に設けられた１個又は複数個の車輪を、前記上部のレール部材と同様の間隔で前記張出床部上に設けられた下部レールに係合させて支持した状態で、前記２枚以上の緑化パネル体を前記壁面に平行に引き違い式にスライド可能とし、
前記２枚以上の緑化パネル体の一側端及び他側端にて上下方向に配置された支柱を断面多角形状の部材で形成し、この支柱の少なくとも一つの外側面に断面コ字状で開口縁部に内向きの鍔を備えた凹溝を長手方向に形成し、前記支柱の長手方向に直交する方向に棒状に伸びる補助用途具を、前記凹溝を利用して前記支柱の長手方向に沿って移動及び固定可能に取り付けた、
ことを特徴とする建物緑化構造体。
【請求項７】
前記植物支持パネルは、緑化植物を支持するためのメッシュ状支持部材と、このメッシュ状支持部材の下部に配置され緑化植物を生長させるための植栽容器とから成ることを特徴とする請求項１〜４及び６のいずれか１項に記載の建物緑化構造体。
【発明の詳細な説明】
【技術分野】
【０００１】
本発明は、例えばつる性植物等を利用して建築物の修景及び熱負荷の低減等を図る建物緑化構造体に関し、詳しくは、緑化植物が生長できる状態で支持された２枚以上の緑化パネル体を建物の張出床部において建物の壁面に平行に引き違い式にスライド可能として、緑化植物に対する水やり等の管理や、枝葉の切除等の手入れなどを可能とする建物緑化構造体に係るものである。
【背景技術】
【０００２】
従来のこの種の建物緑化構造体は、本出願人の提案に係るものとして、枠体の内側空間に、緑化植物が生長できる状態で支持された植物支持パネルを取り付けた緑化パネル体を、建物の壁面に沿って外側に張り出した張出床部の外側辺に設けられた落下防止柵より建物の壁面側に寄った位置にて該壁面に略平行に設け、上記緑化パネル体の縦軸を中心にして該緑化パネル体を上記張出床部の内側に向けて所定角度まで位置変更可能としたものがある（例えば、特許文献１参照）。
【先行技術文献】
【特許文献】
【０００３】
【特許文献１】特許第４４５６５４９号公報
【発明の概要】
【発明が解決しようとする課題】
【０００４】
しかし、特許文献１に記載の建物緑化構造体においては、緑化植物が生長できる状態で支持された緑化パネル体を、建物（例えばマンション）の張出床部（例えばベランダ）の外側辺近傍にて建物の壁面に平行に設け、上記緑化パネル体の縦軸を中心にして張出床部の内側に向けて所定角度（約９０度）まで回動可能としていたので、壁面からの張り出し幅が狭い張出床部では上記緑化パネル体を設置できないことがあった。特に、都市部のマンションでは、居室面積を大きくとる必要からベランダ部分の張り出し幅は狭い傾向が見られる。このような事情から、張り出し幅の狭いベランダ部分にも設置できる建物緑化構造体が求められていた。
【０００５】
また、前記特許文献１では、上記緑化パネル体を、建物の張出床部の外側辺近傍にて上部及び下部に設置されたレール部材に係合させて建物の壁面に平行にスライド可能に組み合わせ、上記緑化パネル体の一側辺部を中心にして張出床部の内側に向けて所定角度（約９０度）まで回動可能とすると共に、上記レール部材の端末部に設けられた収納用レール部材を利用して収納可能としたものも提案している。しかし、この場合は、マンションのベランダ部分にレール部材を設置する工事が必要となり、また、ベランダ部分にレール部材が露出して歩行又は家事作業の障害になることがあった。このような事情から、ベランダ部分にレール部材が存在しない建物緑化構造体が求められていた。
【０００６】
そこで、このような問題点に対処し、本発明が解決しようとする課題は、緑化植物が生長できる状態で支持された２枚以上の緑化パネル体を建物の張出床部において建物の壁面に平行に引き違い式にスライド可能として、張り出し幅の狭いベランダ部分にも設置でき、さらにベランダ部分にレール部材が存在しない建物緑化構造体を提供することにある。
【課題を解決するための手段】
【０００７】
前記課題を解決するために、第１の発明による建物緑化構造体は、枠体の内側空間に、緑化植物が生長できる状態で支持された植物支持パネルを取り付けた２枚以上の緑化パネル体を、建物の壁面に沿って外側に張り出した張出床部において建物の壁面側から予め定めた距離だけ離れた位置にて、前後に隙間をあけて前記壁面に平行に設け、前記２枚以上の緑化パネル体を前記壁面に平行に引き違い式にスライド可能とし、前記２枚以上の緑化パネル体の一側端及び他側端にて上下方向に配置された支柱を断面多角形状の部材で形成し、この支柱の少なくとも一つの外側面に断面コ字状で開口縁部に内向きの鍔を備えた凹溝を長手方向に形成し、前記支柱の長手方向に直交する方向に棒状に伸びる補助用途具を、前記凹溝を利用して前記支柱の長手方向に沿って移動及び固定可能に取り付けたものである。
【０００８】
第２の発明による建物緑化構造体は、枠体の内側空間に、緑化植物が生長できる状態で支持された植物支持パネルを取り付けた２枚以上の緑化パネル体を、建物の壁面に沿って外側に張り出した張出床部において建物の壁面側から予め定めた距離だけ離れた位置にて、上部に設置されたレール部材に係合させて前後に隙間をあけて前記壁面に平行に設け、前記２枚以上の緑化パネル体を前記壁面に平行に引き違い式にスライド可能とし、前記２枚以上の緑化パネル体の一側端及び他側端にて上下方向に配置された支柱を断面多角形状の部材で形成し、この支柱の少なくとも一つの外側面に断面コ字状で開口縁部に内向きの鍔を備えた凹溝を長手方向に形成し、前記支柱の長手方向に直交する方向に棒状に伸びる補助用途具を、前記凹溝を利用して前記支柱の長手方向に沿って移動及び固定可能に取り付けたものである。
【０００９】
第３の発明による建物緑化構造体は、枠体の内側空間に、緑化植物が生長できる状態で支持された植物支持パネルを取り付けた２枚以上の緑化パネル体を、建物の壁面に沿って外側に張り出した張出床部において建物の壁面側から予め定めた距離だけ離れた位置にて、上部に設置されたレール部材に係合させて前後に隙間をあけて前記壁面に平行に設け、前記隙間をあけて配置される各々の緑化パネル体の下部の対向する面に設けられた係合案内部材で前記２枚以上の緑化パネル体の下部をスライド可能に係合した状態で、前記２枚以上の緑化パネル体を前記壁面に平行に引き違い式にスライド可能としたものである。
【００１０】
なお、第３の発明において、前記２枚以上の緑化パネル体の一側端及び他側端にて上下方向に配置された支柱を断面多角形状の部材で形成し、この支柱の少なくとも一つの外側面に断面コ字状で開口縁部に内向きの鍔を備えた凹溝を長手方向に形成し、前記支柱の長手方向に直交する方向に棒状に伸びる補助用途具を、前記凹溝を利用して前記支柱の長手方向に沿って移動及び固定可能に取り付けてもよい。
また、第１〜第３の発明において、前記２枚以上の緑化パネル体の下端面に１個又は複数個のキャスターを設け、このキャスターにより前記２枚以上の緑化パネル体を前記張出床部上に支持してもよい。
【００１１】
第４の発明による建物緑化構造体は、枠体の内側空間に、緑化植物が生長できる状態で支持された植物支持パネルを取り付けた２枚以上の緑化パネル体を、建物の壁面に沿って外側に張り出した張出床部において建物の壁面側から予め定めた距離だけ離れた位置にて、上部に設置されたレール部材に係合させて前後に隙間をあけて前記壁面に平行に設け、前記２枚以上の緑化パネル体の下端面に設けられた１個又は複数個の車輪を、前記上部のレール部材と同様の間隔で前記張出床部上に設けられた下部レールに係合させて支持した状態で、前記２枚以上の緑化パネル体を前記壁面に平行に引き違い式にスライド可能とし、前記２枚以上の緑化パネル体の一側端及び他側端にて上下方向に配置された支柱を断面多角形状の部材で形成し、この支柱の少なくとも一つの外側面に断面コ字状で開口縁部に内向きの鍔を備えた凹溝を長手方向に形成し、前記支柱の長手方向に直交する方向に棒状に伸びる補助用途具を、前記凹溝を利用して前記支柱の長手方向に沿って移動及び固定可能に取り付けたものである。
【００１２】
また、第１〜第４の発明において、前記植物支持パネルは、緑化植物を支持するためのメッシュ状支持部材と、このメッシュ状支持部材の下部に配置され緑化植物を生長させるための植栽容器とから成るものとしてもよい。
【発明の効果】
【００１４】
第１の発明（請求項１）によれば、建物の壁面に沿って外側に張り出した張出床部において建物の壁面側から予め定めた距離だけ離れた位置にて、前後に隙間をあけて前記壁面に平行に設けられた２枚以上の緑化パネル体を、前記壁面に平行に引き違い式にスライド可能としたことにより、建物緑化構造体を通常のビルや集合住宅（マンション）等の張り出し幅の狭い張出床部（ベランダ部分）にも設置することができる。これにより、緑化植物が生長できる状態で支持された２枚以上の緑化パネル体を、建物の張出床部にて前記壁面に平行にスライドして移動させ、前記張出床部を作業スペースとして作業者が緑化植物に対して水やり、肥料の供給、防虫薬剤散布等の管理や、繁茂した枝葉の切除等の手入れなどができる。また、前記２枚以上の緑化パネル体の一側端及び他側端にて上下方向に配置された支柱を断面多角形状の部材で形成し、この支柱の少なくとも一つの外側面に断面コ字状で開口縁部に内向きの鍔を備えた凹溝を長手方向に形成し、前記支柱の長手方向に直交する方向に棒状に伸びる補助用途具を、前記凹溝を利用して前記支柱の長手方向に沿って移動及び固定可能に取り付けたことにより、この補助用途具を用いて、緑化パネル体の一側端及び他側端にて上下方向に配置された支柱を利用して、緑化パネル体の前面又は後面に物干し竿を掛けたり、棚板を置いたりすることができる。
【００１５】
第２の発明（請求項２）によれば、建物の壁面に沿って外側に張り出した張出床部において建物の壁面側から予め定めた距離だけ離れた位置にて、上部に設置されたレール部材に係合させて前後に隙間をあけて前記壁面に平行に設けられた２枚以上の緑化パネル体を、前記壁面に平行に引き違い式にスライド可能としたことにより、建物緑化構造体を通常のビルや集合住宅（マンション）等の張り出し幅の狭い張出床部（ベランダ部分）にも設置することができる。また、建物の張出床部に下部のレール部材が存在しないので、歩行又は家事作業の障害になることがなく、ゴミも溜まらず、床面を清潔に保つことができる。これにより、緑化植物が生長できる状態で支持された２枚以上の緑化パネル体を、建物の張出床部にて上部に設置されたレール部材に係合して前記壁面に平行にスライドして移動させ、前記張出床部を作業スペースとして作業者が緑化植物に対して水やり、肥料の供給、防虫薬剤散布等の管理や、繁茂した枝葉の切除等の手入れなどができる。また、前記２枚以上の緑化パネル体の一側端及び他側端にて上下方向に配置された支柱を断面多角形状の部材で形成し、この支柱の少なくとも一つの外側面に断面コ字状で開口縁部に内向きの鍔を備えた凹溝を長手方向に形成し、前記支柱の長手方向に直交する方向に棒状に伸びる補助用途具を、前記凹溝を利用して前記支柱の長手方向に沿って移動及び固定可能に取り付けたことにより、この補助用途具を用いて、緑化パネル体の一側端及び他側端にて上下方向に配置された支柱を利用して、緑化パネル体の前面又は後面に物干し竿を掛けたり、棚板を置いたりすることができる。
【００１６】
第３の発明（請求項３）によれば、建物の壁面に沿って外側に張り出した張出床部において建物の壁面側から予め定めた距離だけ離れた位置にて、上部に設置されたレール部材に係合させて前後に隙間をあけて前記壁面に平行に設けられ、前記隙間をあけて配置される各々の緑化パネル体の下部の対向する面に設けられた係合案内部材で下部をスライド可能に係合された２枚以上の緑化パネル体を、前記壁面に平行に引き違い式にスライド可能としたことにより、建物緑化構造体を通常のビルや集合住宅（マンション）等の張り出し幅の狭い張出床部（ベランダ部分）にも設置することができる。また、前記２枚以上の緑化パネル体の下部が係合案内部材でスライド可能に係合されているので、建物の張出床部に下部のレール部材が存在しなくても、２枚以上の緑化パネル体が前後に揺れることなく壁面に平行にスライド可能となる。そして、建物の張出床部に下部のレール部材が存在しないので、歩行又は家事作業の障害になることがなく、ゴミも溜まらず、床面を清潔に保つことができる。これにより、緑化植物が生長できる状態で支持された２枚以上の緑化パネル体を、建物の張出床部にて上部に設置されたレール部材に係合して前記壁面に平行にスライドして移動させ、前記張出床部を作業スペースとして作業者が緑化植物に対して水やり、肥料の供給、防虫薬剤散布等の管理や、繁茂した枝葉の切除等の手入れなどができる。
【００１７】
第４の発明（請求項６）によれば、建物の壁面に沿って外側に張り出した張出床部において建物の壁面側から予め定めた距離だけ離れた位置にて、上部に設置されたレール部材に係合させて前後に隙間をあけて前記壁面に平行に設けられ、各々の緑化パネル体の下端面に設けられた１個又は複数個の車輪を、前記上部のレール部材と同様の間隔で前記張出床部上に設けられた下部レールに係合して支持された２枚以上の緑化パネル体を、前記壁面に平行に引き違い式にスライド可能としたことにより、建物緑化構造体を通常のビルや集合住宅（マンション）等の張り出し幅の狭い張出床部（ベランダ部分）にも設置することができる。また、前記２枚以上の緑化パネル体の下端面に設けられた１個又は複数個の車輪が下部レールに係合して支持されているので、２枚以上の緑化パネル体が前後に揺れることなく壁面に平行に確実にスライド可能となる。これにより、緑化植物が生長できる状態で支持された２枚以上の緑化パネル体を、建物の張出床部にて上部に設置されたレール部材に係合して前記壁面に平行にスライドして移動させ、前記張出床部を作業スペースとして作業者が緑化植物に対して水やり、肥料の供給、防虫薬剤散布等の管理や、繁茂した枝葉の切除等の手入れなどができる。また、前記２枚以上の緑化パネル体の一側端及び他側端にて上下方向に配置された支柱を断面多角形状の部材で形成し、この支柱の少なくとも一つの外側面に断面コ字状で開口縁部に内向きの鍔を備えた凹溝を長手方向に形成し、前記支柱の長手方向に直交する方向に棒状に伸びる補助用途具を、前記凹溝を利用して前記支柱の長手方向に沿って移動及び固定可能に取り付けたことにより、この補助用途具を用いて、緑化パネル体の一側端及び他側端にて上下方向に配置された支柱を利用して、緑化パネル体の前面又は後面に物干し竿を掛けたり、棚板を置いたりすることができる。
【図面の簡単な説明】
【００１８】
【図１】第１の実施形態による建物緑化構造体を示す正面図である。
【図２】図１の右側断面図である。
【図３】前記建物緑化構造体の設置状態を示す図２の平面図である。
【図４】第２の実施形態による建物緑化構造体を示す右側断面図である。
【図５】前記建物緑化構造体の設置状態を示す図４の平面図である。
【図６】図５の要部を示す拡大説明図であり、（ａ）は要部拡大平面図、（ｂ）は（ａ）のＤ−Ｄ線断面図である。
【図７】第３の実施形態による建物緑化構造体を示す正面図である。
【図８】第４の実施形態による建物緑化構造体を示す正面図である。
【図９】前記建物緑化構造体の設置状態を示す図８の一部省略した平面図である。
【図１０】第５の実施形態による建物緑化構造体を示す特徴部分のみを表示した右側断面図である。
【図１１】図１０の要部を示す拡大断面図である。
【発明を実施するための形態】
【００１９】
以下、本発明の実施の形態を添付図面に基づいて詳細に説明する。
図１は第１の実施形態による建物緑化構造体を示す正面図であり、図２はその右側断面図であり、図３はその設置状態を示す図２の平面図である。この建物緑化構造体は、例えばつる性植物等を利用して建築物の修景及び熱負荷の低減を図るもので、２枚以上の緑化パネル体１を、建物の壁面２に沿って外側に張り出した張出床部（例えばビルのベランダなど）３において建物の壁面側から予め定めた距離だけ離れた位置にて、上下方向に設置された支柱４を用いて前記壁面２に平行に設けられ、引き違い式にスライド可能とされている。
【００２０】
例えば２枚の緑化パネル体１，１の各々は、緑化植物が生長できる状態で略垂直に立てて支持するもので、枠体５と、メッシュ状支持部材６と、植栽容器７とから成る。前記枠体５は、メッシュ状支持部材６を支持する枠部材となるもので、内側に縦長の空間を有し、例えば金属製のアングル材等で矩形状枠に形成されている。
【００２１】
前記枠体５の内側空間には、メッシュ状支持部材６が取り付けられている。このメッシュ状支持部材６は、例えばつる性植物等の緑化植物を実際に支持するもので、適宜の大きさの網目を有する金網等から成る。図１〜図３の実施形態では、このメッシュ状支持部材６は、図１に示すように、前記枠体５の内側空間に四隅部を取付金具６ａで止められて固定状態で取り付けられている。
【００２２】
各緑化パネル体１の前記メッシュ状支持部材６の下部には、植栽容器７が配置されている。この植栽容器（プランター）７は、つる性植物等の緑化植物を生長させるためのもので、例えばプラスチック、金属等で前記枠体５の内側空間の下部に設置できる程度の大きさの箱状に形成されている。このとき、前記枠体５の内側空間の下端部には、図３に示すように、細長板状に形成された植栽容器設置台８が設けられており、この植栽容器設置台８の上面に前記植栽容器７が置かれている。そして、前記植栽容器７の内部には、土壌や培養土が入れられて緑化植物９が植え付けられている。なお、前記メッシュ状支持部材６と植栽容器７とで、緑化植物９が生長できる状態で支持する植物支持パネルを構成している。また、前記植栽容器設置台８は、細長板状のものに限られず、箱状の植栽容器７の全体を収容可能な容積を有し上面が開口されたボックス型に形成してもよい。この場合は、ボックス型の植栽容器設置台８の内部に植栽容器７を収容して、安定して植栽容器７を支持することができる。
【００２３】
前記２枚の緑化パネル体１は、図１〜図３に示すように、例えばビルのベランダなどの張出床部３に設置された２本の支柱４，４及びその支柱４，４の上部間に水平に張られたハンガーレール（上部のレール部材）１０を用いて直立して設けられている。前記支柱４は、図２に示すように、建物の壁面２に沿って外側に張り出した張出床部３において建物の壁面側から予め定めた距離（例えば約４０ｃｍ）だけ離れた位置に上下方向に設置されており、図１に示すように、２枚の緑化パネル体１の横幅が入り得る間隔をあけて複数個並べて設けられている。具体的には、前記張出床部３において、下階張出床部３ａと上階張出床部３ｂとの間に建物の壁面側から約４０ｃｍだけ離れた位置に垂直状態に設けられている。なお、支柱４は、張出床部３に埋め込み式に設置してもよいし、取付金具等により後付け式に設置してもよい。
【００２４】
ここで、図１〜図３において、２枚の緑化パネル体１，１の取り付け状態について説明する。まず、図１に示すように、前記支柱４，４の上端部から所定の距離だけ下がった位置に、前後方向に所定長さで伸びるＬ型アングル材１１，１１が取り付けられている。そして、図２に示すように、Ｌ型アングル材１１の両端部にてその下片にハンガーレール１０の端部を固定して、図１に示すように、前記ハンガーレール１０が支柱４，４の間に水平に張られている。このとき、図３に示すように、前記Ｌ型アングル材１１の両端部にて、２本のハンガーレール１０が前後に所定の間隔をあけて平行に設けられる。
【００２５】
前記ハンガーレール１０は、断面形がＣ形チャンネル状に形成されており、各緑化パネル体１，１の上辺の両端部には前記ハンガーレール１０のＣ形溝に嵌まる吊車１２が吊りボルト１３（図２参照）を介して取り付けられている。この状態で、図２に示すように、各緑化パネル体１の上辺の吊車１２をハンガーレール１０のＣ形溝に嵌めて係合し、これにより２枚の緑化パネル体１が、図３において前後に隙間ｇをあけて壁面２に平行に設けられる。この結果、前記２枚の緑化パネル体１は、ハンガーレール１０に係合した状態で、図３に矢印Ａ，Ｂで示すように、壁面２に平行に引き違い式にスライド可能に組み合わされる。
【００２６】
なお、図１において、符号１４は、各緑化パネル体１の下端部の振れ止めのために、左右の支柱４側に取り付けられた断面Ｕ字形の振れ止め金具を示している。この場合、両端の支柱４の内側側面に前記Ｌ型アングル材１１と同じ長さで伸びるＩ型材を取り付け、このＩ型材の両端部に内向きに取り付けられた振れ止め金具１４のＵ字形溝に、各緑化パネル体１の枠体５の外側辺を嵌合することで支柱４側にスライドさせた状態の緑化パネル体１の振れ止めを行うことができる。また、図２において、符号１５は、建物の張出床部３においてその外側辺に設けられた落下防止柵（又は手すり）を示している。さらに、図３において、符号Ｃは、建物の張出床部３において作業者１６が、緑化植物９に対して水やり、肥料の供給、防虫薬剤散布等の管理や、繁茂した枝葉の切除等の手入れなどを行う作業スペースを示している。
【００２７】
このような緑化パネル体１，１の取り付け状態により、図３に示すように、建物の張出床部３にいる作業者１６が、どちらか一方の緑化パネル体１を手で左右に移動操作することにより、張出床部３上において矢印Ａ又はＢのように、壁面２に平行に引き違い式にスライドすることができる。
【００２８】
このように構成された建物緑化構造体を通常のビルや集合住宅（マンション）等のベランダに設置した場合、図３において、前記緑化パネル体１の大きさをマンション等の引き違いサッシ窓１７の片方の横幅と同等にしておけば、室内１８側から左右どちらかのサッシ窓１７をあけた状態にして、各緑化パネル体１，１を左右どちらかに引き違い式にスライドすることで、サッシ窓１７，１７の開放状態と緑化パネル体１，１の開放状態とを合致させることができる。そして、作業者１６は、室内１８から緑化パネル体１，１の側方を通って該緑化パネル体１の前面側に出ることができ、前記緑化パネル体１の前面又は側方から緑化植物９の管理や手入れなどを行うことができる。また、建物の張出床部３に下部のレール部材が存在しないので、歩行又は家事作業の障害になることがなく、ゴミも溜まらず、床面を清潔に保つことができる。
【００２９】
図４は第２の実施形態による建物緑化構造体を示す右側断面図であり、図５はその設置状態を示す図４の平面図であり、図６は図５の要部を示す拡大説明図である。この実施形態の建物緑化構造体は、前記２枚以上の緑化パネル体１を、上部に設置されたレール部材に係合させて前後に隙間をあけて前記壁面２に平行に設け、前記隙間をあけて配置される各々の緑化パネル体１の下部の対向する面に設けられた係合案内部材で前記２枚以上の緑化パネル体１の下部をスライド可能に係合した状態で、前記２枚以上の緑化パネル体１を前記壁面２に平行に引き違い式にスライド可能としたものである。
【００３０】
具体的には、図２及び図３に示す建物緑化構造体において、隙間ｇをあけて配置される各々の緑化パネル体１の下部の対向する面に、図４に示すように係合案内部材１９を設け、２枚の緑化パネル体１，１の下部をスライド可能に係合したものである。すなわち、図５において、２枚の緑化パネル体１，１の下部に設けられた植栽容器設置台８，８の対向する側面に、Ｃ形チャンネル状のガイドレール２０をそれぞれ取り付け、この両ガイドレール２０の間に遊動スライダー２１を介装してスライド可能に結合している。ここで、両ガイドレール２０と遊動スライダー２１とで、係合案内部材１９を構成している。
【００３１】
前記ガイドレール２０は、図６（ｂ）に示すように、断面形がＣ形チャンネル状に形成されており、そのＣ形溝の開口部分を互いに対向させて植栽容器設置台８，８の側面に取り付けられている。また、遊動スライダー２１は、二つのコロを軸で連結したガイドローラから成る。そして、前記両ガイドレール２０のＣ形溝内に前記ガイドローラを嵌めた状態で、両ガイドレール２０の間に遊動スライダー２１が介装されている。なお、図６（ａ）に示すように、各々のガイドレール２０の両端部には小口蓋２０ａ，２０ａが取り付けられており、前記遊動スライダー２１がガイドレール２０から脱落しないようにされている。また、図６（ａ）に示す隙間ｇは、図３に示す隙間ｇと同じ寸法であり、この隙間ｇ内に図４に示す係合案内部材１９が配設されている。
【００３２】
このような状態で、図５に矢印Ａ，Ｂで示すように、緑化パネル体１，１を引き違い式にスライドさせると、両ガイドレール２０に介装された遊動スライダー２１が各々のガイドレール２０の両端部に取り付けられた小口蓋２０ａ，２０ａの間で自由に滑動しながら、２枚の緑化パネル体１，１の下部をスライド可能に結合する。したがって、建物の張出床部３に下部のレール部材が存在しなくても、２枚の緑化パネル体１が前後に揺れることなく壁面２に平行にスライド可能となる。
【００３３】
図７は第３の実施形態による建物緑化構造体を示す正面図である。この実施形態の建物緑化構造体は、前記２枚以上の緑化パネル体１の下端面に１個又は複数個のキャスターを設け、このキャスターにより前記２枚以上の緑化パネル体１を張出床部３上に支持するようにしたものである。
【００３４】
具体的には、図４及び図５に示す建物緑化構造体において、各々の緑化パネル体１の枠体５の下辺部材に、図７に示すように、その長手方向に沿ってキャスター取付部材２３を付加し、このキャスター取付部材２３の下面に１個又は複数個のキャスター２２を設けている。図７の実施例では、左右の支柱４，４の間に張られた上部のレール部材は、図１及び図４に示されたハンガーレール１０ではなく、下向きの凹溝を有するガイドレール２４とされている。この場合は、各緑化パネル体１，１の上辺の両端部に前記ガイドレール２４の凹溝に嵌まるガイドピン２５が取り付けられている。この状態で、各緑化パネル体１の上辺のガイドピン２５をガイドレール２４の凹溝に嵌めて係合し、これにより２枚の緑化パネル体１が、図４に示すと同様に壁面２に平行に設けられる。この結果、前記２枚の緑化パネル体１は、上部がガイドレール２４に係合し、下部がキャスター２２により張出床部３上に支持された状態で、図５に示す矢印Ａ，Ｂと同様に、壁面２に平行に引き違い式にスライド可能となると共に、２枚の緑化パネル体１の荷重がキャスター２２で支持される。
【００３５】
図７の実施例では、上部のレール部材をガイドレール２４としたが、これに限られず、図４に示すハンガーレール１０と吊車１２を組合せたものとしてもよい。また、図１及び図２に示すように、各々の緑化パネル体１の下部の対向する面に係合案内部材１９が設けられていない状態で、２枚の緑化パネル体１の下端面に１個又は複数個のキャスター２２を設けてもよい。さらに、図７では、キャスター２２を２個設けたものとしたが、１個又は３個以上としてもよい。
【００３６】
図８は第４の実施形態による建物緑化構造体を示す正面図であり、図９はその設置状態を示す図８の一部省略した平面図である。この実施形態の建物緑化構造体は、前記２枚以上の緑化パネル体１を、上部に設置されたレール部材に係合させて前後に隙間をあけて前記壁面２に平行に設け、前記２枚以上の緑化パネル体１の下端面に設けられた１個又は複数個の車輪を、前記上部のレール部材と同様の間隔、長さで前記張出床部３上に設けられた下部レールに係合させて支持した状態で、前記２枚以上の緑化パネル体１を前記壁面２に平行に引き違い式にスライド可能としたものである。
【００３７】
具体的には、図１に示す建物緑化構造体において、左右の支柱４，４の間に張られた上部のレール部材としてのハンガーレール１０の代わりに、下向きの凹溝を有するガイドレール２４としている。この場合は、各緑化パネル体１，１の上辺の両端部に、前記ガイドレール２４の凹溝に嵌まるガイドピン２５が取り付けられている。この状態で、各緑化パネル体１の上辺のガイドピン２５をガイドレール２４の凹溝に嵌めて係合することで、２枚の緑化パネル体１が図１に示すと同様に壁面２に平行に設けられる。
【００３８】
また、各々の緑化パネル体１の枠体５の下辺部材に、図８に示すように、その長手方向に沿って車輪取付部材２６を付設し、この車輪取付部材２６の下面に１個又は複数個の戸車と呼ばれる車輪２７が取り付けられている。そして、張出床部３の上面には、図９に示すように、前記車輪２７の移動を案内する２本の下部レール２８が壁面２に平行に敷設されている。この２本の下部レール２８は、上部のガイドレール２４と同様の間隔、長さで設けられている。なお、図９では、上部のガイドレール２４を省略して図示しているが、下部レール２８はガイドレール２４の真下の位置に配置されている。この状態で、例えば上面に突条を有する下部レール２８に、外周面に凹溝を有する車輪２７を係合させることで、２枚の緑化パネル体１の下部が張出床部３上に支持される。
【００３９】
この結果、前記２枚の緑化パネル体１は、上部がガイドレール２４に係合し、下部が車輪２７及び下部レール２８により張出床部３上に支持された状態で、図９に示す矢印Ａ，Ｂのように、壁面２に平行に引き違い式にスライド可能となると共に、２枚の緑化パネル体１の荷重が車輪２７及び下部レール２８で支持される。なお、この場合も、図１に示した振れ止め金具１４は不要となる。
【００４０】
図８の実施例では、上部のレール部材をガイドレール２４としたが、これに限られず、図１に示すハンガーレール１０と吊車１２を組合せたものとしてもよい。また、図８では、車輪２７を２個設けたものとしたが、１個又は３個以上としてもよい。
【００４１】
図１０は第５の実施形態による建物緑化構造体を示す特徴部分のみを表示した右側断面図であり、図１１は図１０の要部を示す拡大断面図である。この実施形態の建物緑化構造体は、前記２枚以上の緑化パネル体１の一側端及び他側端にて上下方向に配置された支柱４を断面多角形状の部材で形成し、この支柱４の少なくとも一つの外側面に断面コ字状で開口縁部に内向きの鍔を備えた凹溝を長手方向に形成し、前記支柱４の長手方向に直交する方向に棒状に伸びる補助用途具を、前記凹溝を利用して前記支柱４の長手方向に沿って移動及び固定可能に取り付けたものである。
【００４２】
具体的には、図１に示す建物緑化構造体において、２枚の緑化パネル体１の一側端及び他側端にて上下方向に配置された支柱４を、図１１に示すように、その断面形を矩形に形成し、その矩形断面の四方の外側面に、断面コ字状で開口縁部に内向きの鍔２９を備えた凹溝３０を支柱４の長手方向に形成している。この凹溝３０は、概略Ｃ形溝に形成されており、支柱４の矩形断面の少なくとも互いに反対側の二つの外側面に形成されていればよい。
【００４３】
前記凹溝３０を利用して、支柱４の長手方向に直交する方向に棒状に伸びる補助用途具３１が取り付けられている。この補助用途具３１は、緑化パネル体１の一側端及び他側端にて上下方向に配置された支柱４を利用して、緑化パネル体１の前面又は後面に物干し竿を掛けたり、棚板を置いたりするのに用いるものである。図１０では、緑化パネル体１の前面又は後面に物干し竿３２を掛けるのに用いる「物干し竿受け金具」の例を示している。
【００４４】
前記物干し竿受け金具３１は、図１０に示すように、支柱４の外側面に沿って上下方向に伸びる取付板材３３と、この取付板材３３に対して支柱４の長手方向に直交する方向に伸びて設けられた受け部材３４とから成る。受け部材３４の上辺部には、物干し竿３２を掛けるための半円形の凹部３５が形成されている。そして、取付板材３３を、締結具３６を用いて支柱４に取り付けることで、物干し竿受け金具３１を支柱４の外側面に取り付けるようになっている。前記締結具３６は、図１１に示すように、例えば取付ボルト３７とナット３８とから成る。
【００４５】
ここで、締結具３６を用いて前記物干し竿受け金具３１を支柱４の外側面に取り付ける状態について説明する。まず、取付板材３３の上部及び下部にあけられたボルト孔に、予め取付ボルト３７を通してナット３８をゆるく締めて仮止めしておく。次に、取付ボルト３７及びナット３８が仮止めされた物干し竿受け金具３１を、図１０において支柱４の前面（落下防止柵１５側）又は後面（壁面２側）の取付側面に持ってくる。そして、支柱４の下部に位置する凹溝３０にて部分的に鍔２９を切除したボルト挿入用の切欠き部を利用して、図１１に示すように、取付ボルト３７の頭部を凹溝３０に挿入して取付板材３３を上方にスライドする。すると、前記ボルト挿入用の切欠き部より上方に移動したところでは、取付ボルト３７の頭部が凹溝３０の鍔２９に係合した状態となる。このような状態で、取付板材３３を支柱４の外側面に沿わせて移動し、所望の高さに至ったところで、ナット３８を締め付けて本止めする。このようにして、例えば物干し竿受け金具３１を、前記凹溝３０を利用して支柱４の長手方向に沿って矢印Ｅ，Ｆのように移動及び固定可能に取り付けることができる。
【００４６】
前記物干し竿受け金具３１を所望の高さに固定したところで凹部３５に物干し竿３２を掛けることで、緑化パネル体１の前面又は後面に洗濯物を干すことができる。この場合、外部からみて洗濯物が目立たず、美観を損ねることを防止できる。なお、物干し竿受け金具としてだけではなく、補助用途具３１の上面に棚板を置いたりすることで、各種の用途に利用することができる。
【００４７】
なお、図１１では、支柱４の断面形状を矩形状として示したが、本発明はこれに限られず、断面多角形状であれば四角形、六角形又は八角形等のいずれでもよい。また、開口縁部に内向きの鍔２９を備えた凹溝３０は、支柱４の矩形断面の少なくとも互いに反対側の二つの外側面に限られず、支柱４の多角形断面の少なくとも一つの外側面に形成されていればよい。
【００４８】
なお、以上の説明では、緑化パネル体１は２枚として図示したが、本発明はこれに限られず、３枚以上として前後に３列以上、左右に３個以上並べて設置してもよい。また、何れの実施形態においても、植栽容器設置台８は、箱状の植栽容器７の全体を収容可能な容積を有し上面が開口されたボックス型に形成してもよい。さらに、本発明の建物緑化構造体は、図示の実施例では、建物の壁面２に沿って外側に張り出した張出床部（例えばビルのベランダなど）３において、建物の２階以上の下階張出床部３ａと上階張出床部３ｂとの間に設置した状態としたが、これに限られず、建物の１階の張出床部３であってもよい。また、建物の１階において落下防止柵１５が存在しない状態にて、建物の壁面２に沿って外側に張り出した張出床部３であってもよい。
【符号の説明】
【００４９】
１…緑化パネル体
２…壁面
３…張出床部
４…支柱
５…枠体
６…メッシュ状支持部材
７…植栽容器
８…植栽容器設置台
９…緑化植物
１０…上部のレール部材（ハンガーレール）
１１…Ｌ型アングル材
１２…吊車
１９…係合案内部材
２０…ガイドレール
２１…遊動スライダー
２２…キャスター
２４…上部のレール部材（ガイドレール）
２５…ガイドピン
２７…車輪
２８…下部レール
２９…鍔
３０…支柱の凹溝
３１…補助用途具（物干し竿受け金具）
３２…物干し竿
３３…取付板材
３４…受け部材
３６…締結具
３７…取付ボルト
３８…ナット
【図１】
0006019476.tif 000002
【図２】
0006019476.tif 000003
【図３】
0006019476.tif 000004
【図４】
0006019476.tif 000005
【図５】
0006019476.tif 000006
【図６】
0006019476.tif 000007
【図７】
0006019476.tif 000008
【図８】
0006019476.tif 000009
【図９】
0006019476.tif 000010
【図１０】
0006019476.tif 000011
【図１１】
0006019476.tif 000012